(57)【要約】【課題】踏み台の上から床面の凹凸に対する調節を可能にし、脚と床面間のスリップを防止し、通常の使用状態でパッドが外れることのない段差緩和装置を提供する。【解決手段】踏み台１０の四隅に貫通孔１４を設け、この貫通孔１４に雌ネジ１５を設けたブッシング１６を埋め込み、この雌ネジ１５に、先端にドライバーＤの刃を受け入れる溝２１を設けた雄ネジ１７を螺合し、上記雄ネジ１７を踏み台１０の上面から貫通孔１４を通して操作できるようにした（請求項１）ものであり、上記雄ネジ１７は頭部１８が下向きになり、その頭部１８に滑り止めパッド１９が被嵌し、パッド１９の素材が頭部の溝２８に食い込むように（請求項２）にし、上記滑り止めパッド１９の床面２４と接する面を凹面２５とし（請求項３）貫通孔１４には切り込みまたは半割りのスカート２３ｓ  を一体に設けたキャップ２３が被せられる。【選択図】  図２
2004251004.tif 000002
【特許請求の範囲】
【請求項１】
踏み台の四隅に雌ネジを埋め込み、この雌ネジに、雄ネジが螺合して床面の凹凸に対して調整可能にした脚を設け、この脚の先端に滑り止めパッドを取付けてなる段差緩和装置において、上記踏み台の四隅に貫通孔を開けて雌ネジを埋め込み、上記雄ネジの上部先端にドライバーの刃を受け入れるマイナスまたはプラス溝を設け、上記雄ネジを、上記貫通孔を通して踏み台の上面から操作できるようにしたことを特徴とする段差緩和装置。
【請求項２】
上記雄ネジはビスネジの頭部が下向きになり、その頭部に上記滑り止めパッドが被嵌し、パッドの素材が頭部の溝に食い込むようにしたことを特徴とする請求項１に記載の段差緩和装置。
【請求項３】
上記滑り止めパッドの床面と接する面を凹面としたことを特徴とする請求項１または２に記載の段差緩和装置。
【請求項４】
上記貫通孔に、裏面にスカート状部分を形成したキャップを被せたことを特徴とする請求項１乃至３のいずれかに記載の段差緩和装置。
【発明の詳細な説明】
【０００１】
【発明の属する技術分野】
この発明は身体障害者やお年寄りが、段差のあるところを歩行し易くするための段差緩和装置に関する。
【０００２】
【従来の技術】
段差緩和装置に関する先行技術として特許文献１がある。
【０００３】
【特許文献１】
特開２００１−１２３６２２号公報（特許請求の範囲）
【０００４】
上記特許文献は、「台部と、該台部を支持する脚部とを具備し、該台部表面には滑り止めマットが被着されてなり（請求項１）、該脚部は角材からなり、上辺部と、該上辺部両端から下方に屈曲される脚部分とを具備し、該台部の裏面に凹設した角溝に該脚部の上辺部を嵌着することによって該脚部を該台部裏側に取付けてなり（請求項２）、該滑り止めマットは繊維シートからなる（請求項３）」ものである。なお、先行技術の「段差ステップ」の脚部には、台座が雄ネジにより螺合され、床面の凸凹に対して調節可能としている。
【０００５】
【発明が解決しようとする課題】
上記先行技術のものは、上記構成であるから脚が長い（ステップが高い）場合は床面の凹凸に対して脚の調節が容易であるが、脚が短くなると調節が困難になり、いちいち裏返して調節しなければならなくなる。
【０００６】
また、脚の下端に台座がついているが、台座と床面との滑り止め対策がなされておらず、床面がタイルのように滑り易い表面の場合危険である。
【０００７】
さらに、雄ネジと台座との結合部分には荷重が集中するので、強力に結合しておく必要がある。
【０００８】
以上のような従来技術の問題に鑑みこの発明は、床面の凹凸に対する調節を容易にした段差緩和装置であって、装置の上から床面の凹凸に対して調節可能にし、段差緩和装置と床面との間のスリップを防止し、スリップを防止するために取付けられるパッドが通常の使用状態では外れることのない段差緩和装置を提供することを課題とする。
【０００９】
【課題を解決するための手段】
上記課題を解決するために本発明は、踏み台の四隅に雌ネジを埋め込み、この雌ネジに、雄ネジが螺合して床面の凹凸に対して調整可能にした脚を設け、この脚の先端に滑り止めパッドを取付けてなる段差緩和装置において、上記踏み台の四隅に貫通孔を開けて雌ネジを埋め込み、上記雄ネジの上部先端にドライバーの刃を受け入れるマイナスまたはプラス溝を設け、上記雄ネジを、上記貫通孔を通して踏み台の上面から操作できるようにした（請求項１）ものであり、上記雄ネジは頭部が下向きになり、その頭部に上記滑り止めパッドが被嵌し、パッドの素材が頭部の溝に食い込むようにし（請求項２）、上記滑り止めパッドの床面と接する面を凹面とし（請求項３）、上記貫通孔に、裏面にスカート状部分を形成したキャップを被せた（請求項４）ものである。
【００１０】
上記の如く構成するこの発明によれば、雄ネジを踏み台の上から回すことができ、床面の凹凸に対する脚のレベル調節が容易になり、脚部に相当する雄ネジとパッドとの結合が強固になり、パッドが床面に吸着して滑り防止作用を発する。
【００１１】
【発明の実施の形態】
次にこの発明の実施形態を、図面を参照しながら説明する。長さ４５ｃｍ×３ｃｍの桧角材１１を並列し、この上に幅１５ｃｍ×厚さ１５ｍｍの桧板材１２を複数枚並べて釘１３（または木ネジ）で打ちつけ、上記角材１１の両端から３．５ｃｍのところで貫通孔１４を開けて裏側から雌ネジ１５を設けたブッシング１６を埋め込んで固定する。
【００１２】
一方、上記雌ネジ１５に螺合する皿ビス（雄ネジ）１７の頭部１８に滑り止めパッド１９を被嵌し、皿ビス１７の先端にドライバーＤの刃を受け入れるマイナスまたはプラスの溝２１を形成した脚２２を用意し、この脚２２の雄ネジ１７を上記雌ネジ１５に螺合し、上記貫通孔１４の上部にキャップ２３を被せる。
【００１３】
上記滑り止めパッド１９は、床面２４に接する面が凹面２５になっており、皿ビス（雄ネジ）１７の頭部１８の溝には、その素材が食い込んで一体になっている。なお、脚２２を構成する雄ネジ１７には座金２６を介してダブルナット２７が螺合している。
【００１４】
上記キャップ２３は、その裏側にスカート部２３ｓ  が一体に形成され、その下端の外径は、貫通孔１４の内径より小さく次第に太くし、軸方向に切り込みを入れるか、半割り状にして素材の弾性で貫通孔１４に嵌め込み易くしている。
【００１５】
なお、上記踏み台１０の素材を桧としたが、他の木材やプラスチックの射出成形とすることもできる。また、寸法も適宜選択することができる。
【００１６】
上記の段差緩和装置２０を使用するときは、床面２４に置きキャップ２３を外して貫通孔１４の上からドライバー（図示せず）を差し込み、床面２４の凹凸に合わせ、雄ネジ１７を回して四隅の脚２２が均等に接地するように調節し、調節が済むとダブルナット２７を締めてその状態を固定する。
【００１７】
【発明の効果】
以上説明したようにこの発明によれば、床面の凹凸に対する調節が容易であり、床面との間での滑りがなく、脚を構成する雄ネジとパッドとの結合が強固で、パッドが雄ネジの先端から外れる心配がない。
【図面の簡単な説明】
【図１】この発明に係る段差緩和装置の斜視図
【図２】同主要部切り欠き断面図
【図３】脚の分解斜視図
【符号の説明】
１０  踏み台
１１  桧角材
１２  桧板材
１３  釘
１４  貫通孔
１５  雌ネジ
１６  ブッシング
１７  雄ネジ
１８  頭部
１９  パッド
２０  段差緩和装置
２１  溝（雄ネジ先端の）
２２    脚
２３  キャップ
２３ｓ    キャップのスカート部
２４  床面
２５  凹面
２６  座金
２７  ダブルナット
２８  溝（皿ビス頭部の）
【図１】
2004251004.tif 000003
【図２】
2004251004.tif 000004
【図３】
2004251004.tif 000005